Podtech/llm-jp-corpus-v4-ja_patent huggingface dataset:
【手続補正書】
【提出日】平成27年4月7日(2015.4.7)
【手続補正１】
【補正対象書類名】明細書
【補正対象項目名】００２９
【補正方法】変更
【補正の内容】
【００２９】
図３には、ここでも、概略的かつ斜視図において、リフト要素あるいは例えば修理作業の実行のためにリフトを使用した人の昇降用の高圧線送電塔に沿ったレール状の形鋼全体の形成のためにどのように２つの形鋼要素が互いに結合されるかが示されている。図３に示された形鋼要素１０１’，１０１”は、Ｕ字状の形鋼のコーナ部に配置された長手パイプ１１５’，１１５”と共にＵ字状の断面を備えている。図３から明らかに分かるように、形鋼要素１０１’，１０１”は長手方向に延在するラック部分１０５’，１０５”を備えており、このラック部分は、このラック部分に係合する歯車によって駆動部分が形鋼に沿って上方及び下方へ移動できるようになっている。両形鋼要素１０１’，１０１”の接合のために、ラック部分１０５’，１０５”が一方の形鋼から次の形鋼へ同様の間隔をもって連続していることが重要である。この理由から、ラック部１０５’，１０５”の同様の間隔を保証するために、少なくとも１つの結合要素１２１の使用が提案される。また、両形鋼要素は、側方の２つの脚部面１０９’，１０９”において長手方向へ延在しつつ個々の孔１１３’，１１３”を有する穿孔部１１１’，１１１”を備えている。両形鋼に対して鏡面対称に同様にＵ字状に形成された結合要素１２１の両脚部面１０９’，１０９”において、同様にそれぞれ長手方向に延在しつつ個々の孔１２７を有する穿孔部１２５が設けられている。個々の孔１２７は、孔１１３’，１１３”のように少なくともほぼ同様の孔断面を備えているとともに、同様に間隔をあけられている。穿孔部は正確に重なり合って配置されており、これにより、例えば図３において示されたリベット１２９による、結合要素１２１の両形鋼要素１０１’，１０１”への結合が可能となる。リベットの挿入は、例えばいわゆる電池動作式のリベットガンを用いて最も簡易な形態で行われる。ラック部１０５’，１０５”が一方の形鋼から次の形鋼へ同様の間隔をもって連続していることは、側壁部における各孔の間隔が一方ではラック部１０５’，１０５”の個々の孔１０７’，１０７”へ整列されているとともに同様に間隔をあけられていることによって達成される。２つの形鋼要素の図３に示された結合はその他の点では特許文献７において開示されており、これについて、この特許文献７の内容は本発明の構成要素として含まれるものである。形鋼要素１０１’，１０１”の結合は、ピン１３３によってなされる。
【手続補正２】
【補正対象書類名】明細書
【補正対象項目名】００３１
【補正方法】変更
【補正の内容】
【００３１】
駆動部分の上端部にはヘッド部１３が設けられており、このヘッド部は、特に把持部、操作要素、表示部、速度センサなどを備えている。このヘッド部については、図９において詳細に説明する。カバー２１を有する電子部品ケーシング１７においては、セーフティリレー、コントローラ、無線通信装置、非常停止装置などの駆動部分の動作に必要な様々な要素が配置されている。図４には２つの非常停止装置１９が概略的に示されているが、その機能については、図８に関連して詳細に説明する。駆動部分の下端部にはプラットフォーム支持部材２３が設けられており、このプラットフォーム支持部材には、例えば機械的又は電気的な接続部を用いてプラットフォーム５を固設することができるようになっている。また、人用の立面を有するプラットフォーム５には、一方に、バッテリ又は電池のためのホルダ及び対応する充電電子部品が設けられている。
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
哺乳動物における過剰増殖性疾患の治療的処置のための医薬の調製における、式Ｉの化合物
2014512355.tif 000001
又はその薬学的に許容される塩の使用であって、
ＧＤＣ−０９７３、ＰＤ−０３２５９０１又はその薬学的に許容される塩から選択される一以上の薬剤が哺乳動物に投与される使用。
【請求項２】
過剰増殖性疾患が癌である、請求項１に記載の使用。
【請求項３】
癌がＰＴＥＮ変異と関連付けられている、請求項２に記載の使用。
【請求項４】
癌がＡＫＴ変異、過剰発現又は増幅と関連付けられている、請求項２に記載の使用。
【請求項５】
癌がＰＩ３Ｋ変異と関連付けられている、請求項２に記載の使用。
【請求項６】
癌がＨｅｒ２／ＥｒｂＢ２増幅と関連付けられている、請求項２に記載の使用。
【請求項７】
癌が、中皮腫、子宮内膜癌、膵臓癌、乳癌、肺癌、卵巣癌、前立腺癌、メラノーマ、胃癌、結腸癌、腎臓癌、頭頸部癌、及びグリオーマから選択される、請求項２から６の何れか一項に記載の使用。
【請求項８】
式Ｉの化合物又はその薬学的に許容される塩がＧＤＣ−０９７３と組み合わせて投与される、請求項１から７の何れか一項に記載の使用。
【請求項９】
式Ｉの化合物又はその薬学的に許容される塩がＰＤ−０３２５９０１と組み合わせて投与される、請求項１から７の何れか一項に記載の使用。
【請求項１０】
式Ｉの化合物又はその薬学的に許容される塩が一以上の薬剤と同時に投与される、請求項１から９の何れか一項に記載の使用。
【請求項１１】
式Ｉの化合物又はその塩と一以上の薬剤が逐次に投与される、請求項１から９の何れか一項に記載の使用。
【請求項１２】
一以上の薬剤の投与が、組み合わせの投与の約１日から約１０日前に開始する、請求項１から９の何れか一項に記載の使用。
【請求項１３】
式Ｉの化合物又はその塩の投与が、組み合わせの投与の約１日から約１０日前に開始する、請求項１から９の何れか一項に記載の使用。
【請求項１４】
式Ｉの化合物又はその塩の投与と一以上の薬剤の投与が同日に開始する、請求項１から９の何れか一項に記載の使用。
【請求項１５】
式Ｉの化合物又はその薬学的に許容される塩がＧＤＣ−０９７３と組み合わせて投与され、癌が膵臓癌である、請求項１から７の何れか一項に記載の使用。
【請求項１６】
式Ｉの化合物又はその薬学的に許容される塩がＧＤＣ−０９７３と組み合わせて投与され、癌が非小細胞肺癌である、請求項１から７の何れか一項に記載の使用。
【請求項１７】
式Ｉの化合物又はその薬学的に許容される塩がＧＤＣ−０９７３と組み合わせて投与され、癌が乳癌である、請求項１から７の何れか一項に記載の使用。
【請求項１８】
式Ｉの化合物又はその薬学的に許容される塩がＧＤＣ−０９７３と組み合わせて投与され、癌が結腸癌である、請求項１から７の何れか一項に記載の使用。
【請求項１９】
式Ｉの化合物又はその薬学的に許容される塩がＧＤＣ−０９７３と組み合わせて投与され、癌がメラノーマである、請求項１から７の何れか一項に記載の使用。
【請求項２０】
ＧＤＣ−０９７３、ＰＤ−０３２５９０１又はその薬学的に許容される塩から選択される薬剤により過剰増殖性疾患を治療される患者の生活の質を改善するための治療的用途のための、式Ｉの化合物又はその薬学的に許容される塩。
【請求項２１】
過剰増殖性疾患を治療するための、ａ）式Ｉの化合物又はその薬学的に許容される塩；及びｂ）ＧＤＣ−０９７３、ＰＤ−０３２５９０１又はその薬学的に許容される塩から選択される一以上の薬剤との組み合わせ。
【請求項２２】
ＡＫＴキナーゼにより調節される疾患又は状態を治療するための、ａ）式Ｉの化合物又はその薬学的に許容される塩；及びｂ）ＧＤＣ−０９７３、ＰＤ−０３２５９０１又はその薬学的に許容される塩から選択される一以上の薬剤との組み合わせ。
【請求項２３】
哺乳動物における過剰増殖性疾患の治療のための医薬の調製における、式Ｉの化合物又はその薬学的に許容される塩、及びＧＤＣ−０９７３、ＰＤ−０３２５９０１又はその薬学的に許容される塩の組み合わせの使用。
【請求項２４】
哺乳動物においてＡＫＴキナーゼにより調節される疾患又は状態の治療のための医薬の調製における、式Ｉの化合物又はその薬学的に許容される塩、及びＧＤＣ−０９７３、ＰＤ−０３２５９０１又はその薬学的に許容される塩の組み合わせの使用。
【請求項２５】
式Ｉの化合物又はその薬学的に許容される塩、容器、及び、過剰増殖性疾患を治療するためにＧＤＣ−０９７３、ＰＤ−０３２５９０１又はその薬学的に許容される塩から選択される一以上の薬剤と共に式Ｉの化合物の投与を示す添付文書又はラベルを含むキット。
【請求項２６】
過剰増殖性疾患の治療において、別々に、同時に又は逐次に使用するための併用製剤として、式Ｉ又はその薬学的に許容される塩を有する化合物、及びＧＤＣ−０９７３、ＰＤ−０３２５９０１又はその薬学的に許容される塩から選択される一以上の薬剤を含む製品。
【請求項２７】
式Ｉの化合物
2014512355.tif 000002
又はその薬学的に許容される塩、及びＧＤＣ−０９７３、ＰＤ−０３２５９０１又はその薬学的に許容される塩から選択される別の薬剤との組み合わせを含む、哺乳動物における過剰増殖性疾患を治療するための医薬。
【請求項２８】
ａ）式Ｉの化合物又はその薬学的に許容される塩、及びｂ）ＧＤＣ−０９７３、ＰＤ−０３２５９０１又はその薬学的に許容される塩から選択される一以上の薬剤を含む、哺乳動物においてＡＫＴキナーゼによって調節される疾患又は状態を治療するための医薬。
【請求項２９】
過剰増殖性疾患の治療において、別々に、同時に又は逐次に使用するための併用製剤として、式Ｉの化合物
2014512355.tif 000003
又はその薬学的に許容される塩、及びＧＤＣ−０９７３、ＰＤ−０３２５９０１又はその薬学的に許容される塩から選択される一以上の薬剤を含むシステム。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
エルロチニブが哺乳動物に投与される、哺乳動物においてＡＫＴキナーゼにより調節される疾患又は状態を治療するための医薬の調製における式Ｉａの化合物
2014512354.tif 000001
又はその薬学的に許容される塩の化合物の使用。
【請求項２】
エルロチニブ又はその薬学的に許容される塩が哺乳動物に投与される、哺乳動物において過剰増殖性疾患を治療するための医薬の調製における式Ｉａの化合物
2014512354.tif 000002
又はその薬学的に許容される塩の化合物の使用。
【請求項３】
式Ｉａの化合物又はその塩が、エルロチニブと同時に投与される、請求項１の使用。
【請求項４】
式Ｉａの化合物又はその塩が、エルロチニブと逐次に投与される、請求項１の使用。
【請求項５】
式Ｉａの化合物又はその塩が、エルロチニブと別々に投与される、請求項１の使用。
【請求項６】
過剰増殖性疾患が癌である、請求項１から５の何れか一項の使用。
【請求項７】
癌がＰＴＥＮ変異と関連付けられている、請求項６の使用。
【請求項８】
癌がＡＫＴ変異、過剰発現又は増幅と関連付けられている、請求項６の使用。
【請求項９】
癌がＰＩ３Ｋ変異と関連付けられている、請求項６の使用。
【請求項１０】
癌がＨｅｒ２／ＥｒｂＢ２増幅と関連付けられている、請求項６の使用。
【請求項１１】
癌が、乳癌、肺癌、卵巣癌、前立腺癌、メラノーマ、胃癌、結腸癌、腎臓癌、頭頸部癌、及びグリオーマから選択される、請求項６から１０の何れか一項の使用。
【請求項１２】
組み合わせが過剰増殖性疾患の治療に相乗効果を与える、請求項１から１１の何れか一項の使用。
【請求項１３】
相乗効果のコンビネーションインデックス値が約０．８未満である、請求項１２の使用。
【請求項１４】
過剰増殖性疾患の治療的処置のための、ａ）式Ｉａの化合物
2014512354.tif 000003
又はその薬学的に許容される塩；及びｂ）エルロチニブ又はその薬学的に許容される塩の組み合わせ。
【請求項１５】
エルロチニブ又はその薬学的に許容される塩により過剰増殖性疾患を治療される患者の生活の質を改善するための治療的用途のための、式Ｉａの化合物
2014512354.tif 000004
又はその薬学的に許容される塩。
【請求項１６】
ａ）式Ｉａの化合物
2014512354.tif 000005
又はその薬学的に許容される塩；及びｂ）エルロチニブ又はその薬学的に許容される塩との組み合わせを含む、哺乳動物における過剰増殖障害を治療するための医薬。
【請求項１７】
ＡＫＴキナーゼにより調節される疾患又は状態を治療するための、ａ）式Ｉａの化合物
2014512354.tif 000006
又はその薬学的に許容される塩；及びｂ）エルロチニブ又はその薬学的に許容される塩との組み合わせ。
【請求項１８】
式Ｉａの化合物
2014512354.tif 000007
又はその薬学的に許容される塩、容器、及び、過剰増殖障害を治療するためにエルロチニブ又はその薬学的に許容される塩と共に式Ｉａの化合物の投与を指示する添付文書又はラベルを含んでなるキット。
【請求項１９】
過剰増殖性疾患の治療において、別々に、同時に又は逐次に使用するための併用製剤として、式Ｉａ
2014512354.tif 000008
を有する化合物又はその薬学的に許容される塩、及びエルロチニブ又はその薬学的に許容される塩を含んでなる製品。
【請求項２０】
過剰増殖性疾患の治療において、別々に、同時に又は逐次に使用するための併用製剤として、式Ｉａの化合物
2014512354.tif 000009
又はその薬学的に許容される塩、及びエルロチニブを有する化合物を含むシステム。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
配列番号１のアミノ酸配列からなるタンパク質又はそのバリアント／切断型誘導体、並びに任意選択で、適した担体及び／又は賦形剤を含む抗ウイルス組成物。
【請求項２】
タンパク質が、微生物から単離された又は合成的に調製された精製タンパク質である、請求項１に記載の抗ウイルス組成物。
【請求項３】
タンパク質が、マイコバクテリウムスピーシーズから分泌される又は表面付着し、マイコバクテリウムスピーシーズから単離される、請求項１又は２に記載の抗ウイルス組成物。
【請求項４】
使用されるマイコバクテリウムスピーシーズが、マイコバクテリウム・ツベルクローシス又はＭ．ボビスＢＣＧである、請求項３に記載の抗ウイルス組成物。
【請求項５】
タンパク質又はそのバリアントが、ペグ化、アセチル化、リン酸化によって修飾されるさらなるペプチドである、請求項１〜４のいずれかに記載の抗ウイルス組成物。
【請求項６】
タンパク質のバリアントが、配列番号２のアミノ酸配列を有するペプチドである、請求項１〜５のいずれかに記載の抗ウイルス組成物。
【請求項７】
活性治療成分としての請求項１〜６のいずれかに記載の抗ウイルス組成物と、薬学的に許容される担体及び／又は賦形剤とを含む医薬組成物であって、前記活性治療成分が、０．０〜９５重量％である、医薬組成物。
【請求項８】
ＨＩＶ／ＡＩＤＳ、Ｂ型肝炎ウイルス、Ｃ型肝炎ウイルス、デング熱ウイルス、はしかウイルス、豚インフルエンザウイルス、ポリオウイルス、単純ヘルペスウイルス、又は日本脳炎ウイルスに対して、静脈内（ｉｖ）、筋肉内、経口、皮下、又は局所適用に用いるための、請求項７に記載の医薬組成物。
【請求項９】
ウイルス増殖の阻害、又はｇｐ−１２０エピトープの遮断に用いるための、請求項７に記載の医薬組成物。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
エイコサペンタエン酸（ＥＰＡ）、ドコサヘキサエン酸（ＤＨＡ）、リノール酸（ＬＡ）およびガンマリノレン酸（ＧＬＡ）を含む、長鎖ポリ不飽和脂肪酸（ＰＵＦＡ）フラクション；
一または複数の他のオメガ−３  ＰＵＦＡ；および
一または複数のモノ不飽和脂肪酸（ＭＵＦＡ）
を含む、液体経口用医薬組成物。
【請求項２】
飽和脂肪酸（ＳＦＡ）をさらに含む、請求項１記載の組成物。
【請求項３】
ビタミンＡ、ビタミンＥおよびガンマ−トコフェロールからなる群より選択されるビタミンをさらに含む、請求項１記載の組成物。
【請求項４】
ＥＰＡが約５００ｍｇ〜約５０００ｍｇの量で存在する、請求項１記載の組成物。
【請求項５】
ＤＨＡが約１０００ｍｇ〜約１２０００ｍｇの量で存在する、請求項１記載の組成物。
【請求項６】
ＬＡが約１０００ｍｇ〜約１０６００ｍｇの量で存在する、請求項１記載の組成物。
【請求項７】
ＧＬＡが約１０００ｍｇ〜約１６０００ｍｇの量で存在する、請求項１記載の組成物。
【請求項８】
ガンマ−トコフェロールをさらに含む、請求項１記載の組成物。
【請求項９】
ガンマ−トコフェロールが約１００ｍｇ〜約３０００ｍｇの量で存在する、請求項８記載の組成物。
【請求項１０】
ベータ−カロテンをさらに含む、請求項１記載の組成物。
【請求項１１】
ベータ−カロテンが約０．１ｍｇ〜約５ｍｇの量で存在する、請求項１０記載の組成物。
【請求項１２】
モノ不飽和脂肪酸が、１８：１（オレイン酸）、２０：１（エイコセン酸）、２２：１（ドコセン酸）、２４：１（テトラコセン酸）およびそれらの混合物からなる群より選択される、請求項１記載の組成物。
【請求項１３】
ＳＦＡが１６：０（パルミチン酸）および１８：０（ステアリン酸）ならびにそれらの混合物からなる群より選択される、請求項１記載の組成物。
【請求項１４】
他のオメガ−３  ＰＵＦＡが１８：３（アルファ−リノレン酸）、１８：４（ステアリドン酸）、２０：４（エイコサテトラエン酸）および２２：５（ドコサペンタエン酸）ならびにそれらの混合物からなる群より選択される、請求項１記載の組成物。
【請求項１５】
他のオメガ−３  ＰＵＦＡが約１００ｍｇ〜約２５００ｍｇの量で存在する、請求項１４記載の組成物。
【請求項１６】
他のオメガ−３  ＰＵＦＡが約３００ｍｇ〜約２０００ｍｇの量で存在する、請求項１４記載の組成物。
【請求項１７】
他のオメガ−３  ＰＵＦＡが約６００ｍｇ〜約１０００ｍｇの量で存在する、請求項１４記載の組成物。
【請求項１８】
ＭＵＦＡが約１００ｍｇ〜約３５００ｍｇの量で存在する、請求項１記載の組成物。
【請求項１９】
ＭＵＦＡが約７５０ｍｇ〜約３５００ｍｇの量で存在する、請求項１記載の組成物。
【請求項２０】
ＭＵＦＡが約１５００ｍｇ〜約３５００ｍｇの量で存在する、請求項１記載の組成物。
【請求項２１】
ＳＦＡが約５００ｍｇ〜約２０００ｍｇの量で存在する、請求項１３記載の組成物。
【請求項２２】
（ａ）約１６５０ｍｇのＥＰＡ；
（ｂ）約４６５０ｍｇのＤＨＡ；
（ｃ）約３８５０ｍｇのＬＡ；
（ｄ）約５８５０ｍｇのＧＬＡ；
（ｅ）約７６０ｍｇのガンマ−トコフェロール、および
（ｆ）約２２ｍｇのビタミンＥ
を含む、液体経口用医薬組成物。
【請求項２３】
ａ．  ＥＰＡ  約１６５０ｍｇ／用量
ｂ．  ＤＨＡ  約４６５０ｍｇ／用量
ｃ．  ＧＬＡ  約２０００ｍｇ／用量
ｄ．  ＬＡ  約３８５０ｍｇ／用量
ｅ．  他のオメガ−３  ＰＵＦＡであって、
ｉ．  アルファ−リノレン酸（Ｃ１８：３ｎ−３）  約３７ｍｇ／用量
ｉｉ．  ステアリドン酸（Ｃ１８：４ｎ−３）  約７３ｍｇ／用量
ｉｉｉ．  エイコサテトラエン酸（Ｃ２０：４ｎ−３）  約９８ｍｇ／用量
ｉｖ．  ドコサペンタエン酸（Ｃ２２：５ｎ−３）  約３９２ｍｇ／用量
を含む他のオメガ−３  ＰＵＦＡ  約６００ｍｇ／用量
ｆ．  ＭＵＦＡであって、
ｉ．  １８：１    約１３００ｍｇ／用量
ｉｉ．  ２０：１    約２５０ｍｇ／用量
ｉｉｉ．  ２２：１    約８２ｍｇ／用量
ｉｖ．  ２４：１    約８２ｍｇ／用量
を含むＭＵＦＡ
ｇ．  ＳＦＡであって、
ｉ．  １８：０    約１６０ｍｇ／用量
ｉｉ．  １６：０    約６５０ｍｇ／用量
を含むＳＦＡ
ｈ．  ビタミンＡ  約０．６ｍｇ／用量
ｉ．  ビタミンＥ  約２２ｍｇ／用量
ｊ．  ガンマ−トコフェロール  約７６０ｍｇ／用量
を含む、液体経口用医薬組成物。
【請求項２４】
神経変性疾患を治療または予防するための、
（ａ）約５００ｍｇ〜約５０００ｍｇのＥＰＡ；
（ｂ）約１０００ｍｇ〜約１２０００ｍｇのＤＨＡ；
（ｃ）約１０００ｍｇ〜約１０６００ｍｇのＬＡ；および
（ｄ）約１０００ｍｇ〜約１６０００ｍｇのＧＬＡ
を含む液体医薬組成物を含む、医薬。
【請求項２５】
一日に一回投与される、請求項２４記載の医薬。
【請求項２６】
一日に一回、３０日より多くの期間投与される、請求項２４記載の医薬。
【請求項２７】
疾患が多発性硬化症である、請求項２４記載の医薬。
【請求項２８】
組成物が
（ａ）約１６５０ｍｇのＥＰＡ；
（ｂ）約４６５０ｍｇのＤＨＡ；
（ｃ）約３８５０ｍｇのＬＡ；
（ｄ）約５８５０ｍｇのＧＬＡ；
（ｅ）約７６０ｍｇのガンマ−トコフェロール；
（ｆ）約２２ｍｇのビタミンＥ；および
（ｇ）約０．６ｍｇのベータ−カロテン
を含む、請求項２４記載の医薬。
【請求項２９】
６０日より多くの連続した期間投与される、請求項２４記載の医薬。
【請求項３０】
疾患の進行の減少をもたらす、請求項２４記載の医薬。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
チョクラルスキー成長装置であって、
ルツボ、側壁、頂部壁、ルツボを支持する台座、及びルツボ中に含まれる融液と接触させる種結晶を伸縮自在に支える引き上げ機構を有する成長チャンバ、
成長チャンバの側壁の少なくとも１つに配置された分離弁、
分離弁を介して成長チャンバと真空シールされ、原料を収容する供給チャンバ、及び
分離弁を介して成長チャンバの中に挿入可能で、成長チャンバの中に原料を供給し、成長チャンバから供給チャンバの中に移動可能であり、閉じた分離弁を有する成長チャンバの中に配置し得るフィーダ
を備えたチョクラルスキー成長装置。
【請求項２】
フィーダからの原料を受ける傾斜した底部を有する成長チャンバの内側に固定されたドロップボックスと、ルツボの上に配置した噴出口とをさらに備えた、請求項１に記載のチョクラルスキー成長装置。
【請求項３】
傾斜した底部が約３０°と約６０°の間の角度で傾斜している、請求項２に記載のチョクラルスキー成長装置。
【請求項４】
ルツボが、引き上げ機構の下に配置された内部ゾーンと、内部ゾーンと流体的に連通され、かつドロップボックスの噴出口の下に配置された、環状の外部ゾーンとを含む、請求項２に記載のチョクラルスキー成長装置。
【請求項５】
供給チャンバの中に配置された原料容器をさらに備えた、請求項２に記載のチョクラルスキー成長装置。
【請求項６】
フィーダが、原料容器からの原料を受ける受け部を有するフィーダパンと、受け部と連結され、受け部よりも小さな断面を有するインジェクタ部を備えた、請求項５に記載のチョクラルスキー成長装置。
【請求項７】
供給チャンバを成長チャンバから切り離せるように、分離弁と供給チャンバを接続するベローズをさらに備えた、請求項１に記載のチョクラルスキー成長装置。
【請求項８】
フィーダが成長チャンバの中に挿入されたときにはフィーダと分離弁との間に介在し、フィーダを収納し、分離弁を閉じたときには供給チャンバの中に引き入れ可能であるシールドシステムをさらに備えた、請求項１に記載のチョクラルスキー成長装置。
【請求項９】
シールドシステムが供給チャンバに固定された裏シールドと、裏シールドに対してスライド可能な表シールドであって、成長チャンバの中に突出可能である表シールドとを備えた、請求項８に記載のチョクラルスキー成長装置。
【請求項１０】
分離弁が、拡張可能な水冷ゲートを有するゲート弁である、請求項１に記載のチョクラルスキー成長装置。
【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
延伸したコップ状成形体として構成されているｘＳｉＣ管の、クロロシランの変換法における使用であって、該ｘＳｉＣ管が、一方の端部でフランジ又は縁曲げ部を有し、かつ他方の端部で閉鎖されている、ｘＳｉＣ管の使用。
【請求項２】
前記ｘＳｉＣ管を、炉加熱式の管型反応器中でのクロロシランの変換のために使用する、請求項１記載の使用。
【請求項３】
前記ｘＳｉＣ管を、クロロシラン変換のための水素化法に際して、好ましくは、テトラクロロシランをトリクロロシランとする、好ましくは０．２〜５０ｂａｒの過圧及び９００〜１１００℃の温度での水素化のために使用する、請求項１記載の使用。
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
メトホルミンとドコサヘキサエン酸との塩、またはメトホルミンとエイコサペンタエン酸およびドコサヘキサエン酸の混合物との塩である、化合物。
【請求項２】
請求項１に記載の化合物、および薬学的に許容可能な担体、ビヒクル、または希釈剤を含む、医薬組成物。
【請求項３】
請求項１に記載の化合物または請求項２に記載の医薬組成物を含む単位剤形、使用のための指示、および前記単位剤形を収容するための少なくとも１つの容器を含むキット。
【請求項４】
糖尿病、トリグリセリドの上昇、前糖尿病、肥満、心不整脈、心筋症または心筋梗塞から選択される哺乳類の症状を治療するための、請求項２に記載の医薬組成物。
【請求項５】
ａ）好適なメトホルミン塩からメトホルミンの遊離塩基を新しく調製すること；およびｂ）新しく調製したメトホルミンの遊離塩基を、ドコサヘキサエン酸、またはエイコサペンタエン酸およびドコサヘキサエン酸の混合物と、１℃から６０℃の間の温度で反応させることを含む、請求項１に記載の化合物を製造するための方法。
【請求項６】
治療が必要である被験者の血清トリグリセリドを低下するための、請求項２に記載の医薬組成物。
【請求項７】
前記被験者が、２００ｍｇ／ｄＬを超える血清トリグリセリド濃度を有する、請求項６に記載の医薬組成物。
【請求項８】
前記被験者が高トリグリセリド血症である、請求項６に記載の医薬組成物。
【請求項９】
前記被験者が、発展中の糖尿病、前糖尿病状態、肥満、心不整脈、心筋梗塞、および高血清トリグリセリド濃度に起因する脳卒中を示す、またはこれらのリスクを有する被験者からなる群からさらに選択される、請求項６に記載の医薬組成物。
【請求項１０】
以下の工程：
アセトニトリル中のメトホルミン遊離塩基の濃縮溶液に、ドコサヘキサエン酸、またはエイコサペンタエン酸およびドコサヘキサエン酸の混合物を室温で滴下して加える工程、
反応混合物を、光から防護された容器中で、１時間室温で撹拌する工程、
前記反応混合物を、１時間、０℃で冷却する工程、および
冷却された前記反応混合物を窒素雰囲気下で濾過し、粉末になるまで乾燥させる工程、
を含む、請求項１に記載の化合物を製造する方法。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
以下の：
ａ)磁性コア、ならびに凝集β−アミロイドタンパク質および／または神経原繊維濃縮体を結合する官能基を含む機能性磁性ナノ粒子（ＭＮＰ）であって、
前記官能基が、２−（１−｛６−［（２−ヒドロキシエチル）（メチル）アミノ］−２−ナフチル｝エチリデン）マロノニトリル（ＨＯＤＤＮＰ）またはその誘導体もしくは類似体であり、当該官能基がリンカーを介して磁性コアと連結され、前記機能性磁性ナノ粒子が、哺乳類被験体の血流中に導入されると、哺乳類被験体の血液脳関門を横断し得るものである、機能性磁性ナノ粒子と、
ｂ）製薬上許容可能な担体とを含む薬学的組成物。
【請求項２】
前記機能性磁性ナノ粒子（ＭＮＰ）が、次式で表され、
Ｍ−Ｓ−（Ｌ）−Ｚ
式中、Ｍは磁性コアであり、Ｓはポリマーであり、Ｌは任意のリンカーであり、そしてＺは官能基である、請求項１に記載の薬学的組成物。
【請求項３】
前記官能基が、直接またはリンカーを介してポリマーに連結される、請求項２に記載の薬学的組成物。
【請求項４】
前記官能基が、エポキシ基を介して磁性コアに結合する、請求項１に記載の薬学的組成物。
【請求項５】
ＨＯＤＤＮＰ官能基が、ＨＯＤＤＮＰのヒドロキシル基を介して磁性コアに結合される、請求項１に記載の薬学的組成物。
【請求項６】
前記機能性ＭＮＰがさらに治療薬を含む、請求項１に記載の薬学的組成物。
【請求項７】
前記機能性ＭＮＰがアルブミンマトリックス中にカプセル化される、請求項１に記載の薬学的組成物。
【請求項８】
前記機能性ＭＮＰがアポリポタンパク質を含む、請求項１に記載の薬学的組成物。
【請求項９】
前記機能性ＭＮＰがポリ（ブチルシアノアクリレート）（ＰＢＣＡ）を含む、請求項１に記載の薬学的組成物。
【請求項１０】
前記機能性ＭＮＰがＰＢＣＡ粒子の表面に付着する、請求項９に記載の薬学的組成物。
【請求項１１】
前記機能性ＭＮＰが界面活性剤を含む、請求項１に記載の薬学的組成物。
【請求項１２】
前記界面活性剤が、ポリオキシエチレンソルビタンモノオレエート、ポリオキシエチレンソルビタンモノパルミテート、ポリオキシエチレンソルビタンモノステアレートおよびポリオキシエチレンソルビタンモノラウレートから選択される、請求項１１に記載の薬学的組成物。
【請求項１３】
前記界面活性剤が、ポリエチレンオキシドおよびポリプロピレンオキシドのブロックコポリマーである、請求項１１に記載の薬学的組成物。
【請求項１４】
前記機能性ＭＮＰがポロキサミンを含む、請求項１１に記載の薬学的組成物。
【請求項１５】
前記ポリマーがデキストランである、請求項２に記載の薬学的組成物。
【請求項１６】
生存哺乳動物の脳におけるアルツハイマー病またはその疾病素質の検出に使用するための、請求項１から１５のいずれか一項に記載の薬学的組成物であって、
当該組成物の診断的有効量を哺乳動物に投与することにより機能性ＭＮＰが脳組織中に分布され、磁気共鳴画像処理を用いた脳組織の画像処理による前記機能性ＭＮＰと脳組織との結合が正常対照レベルの結合と比較して増大していることが、当該哺乳動物がアルツハイマー病に罹患しているかまたは発症する危険性があるということを示す薬学的組成物。
【請求項１７】
前記組成物が静脈内注射により投与される、請求項１６に記載の薬学的組成物。
【請求項１８】
前記生存哺乳動物がヒトである、請求項１６に記載の薬学的組成物。
【請求項１９】
生存哺乳動物の脳におけるβ−アミロイド沈着物および／または神経原繊維濃縮体の検出に使用するための、請求項１から１５のいずれか一項に記載の薬学的組成物であって、
当該組成物の診断的有効量を哺乳動物に投与することにより機能性ＭＮＰが脳組織中に分布され、磁気共鳴画像処理を用いた脳組織の画像処理による前記機能性ＭＮＰと脳組織との結合が正常対照レベルの結合と比較して増大していることが、脳におけるβ−アミロイド沈着物および／または神経原繊維濃縮体の存在を示す薬学的組成物。
【請求項２０】
前記組成物が静脈内注射により投与される、請求項１９に記載の薬学的組成物。
【請求項２１】
前記生存哺乳動物がヒトである、請求項１９に記載の薬学的組成物。
【請求項２２】
前記生存哺乳動物が、β−アミロイド沈着物および／または神経原繊維濃縮体に関連した疾患の非ヒト動物モデルである、請求項１９に記載の薬学的組成物。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2014512389.tif 000001
式中：
Ｒ１の各々の場合は、独立して、水素、未置換のＣ１−３アルキル、または−ＣＯ２ＲＡ１もしくは−Ｃ（＝Ｏ）Ｎ（ＲＡ１）２で置換されたＣ１−３アルキルであり、ここで、ＲＡ１の各々の場合は、独立して、水素またはＣ１−１０アルキルであり；
Ｒ２の各々の場合は、独立して、水素、未置換のＣ１−３アルキル、または−ＣＯ２ＲＡ２もしくは−Ｃ（＝Ｏ）Ｎ（ＲＡ２）２で置換されたＣ１−３アルキルであり、ここで、ＲＡ２の各々の場合は、独立して、水素またはＣ１−１０アルキルである；
あるいは、Ｒ１およびＲ２ならびにそれら両方が結合している炭素は、独立して、連結されてＣ３−４カルボシクリルを形成する；
ただし、同じ炭素に結合しているＲ１およびＲ２の各々の場合は、両方がともに水素であることはない
の化合物。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
少なくとも１つの幼虫駆除剤を含む１又はそれより多い害虫駆除剤を担持する昆虫を昆虫集団に送り込むことによって、該昆虫集団を防除することを含む昆虫防除方法。
【請求項２】
前記害虫駆除剤を担持する昆虫が成虫であり、
前記方法が、幼虫の生存に影響するか又は幼虫の成虫への変態を妨害し、かつ、成虫に対してはほとんど影響しない害虫駆除剤に前記成虫を曝すことを更に含む請求項１に記載の方法。
【請求項３】
前記害虫駆除剤を担持する昆虫がオスの成虫である請求項１又は２に記載の方法。
【請求項４】
前記昆虫集団が蚊の集団である請求項１〜３のいずれか１項に記載の方法。
【請求項５】
前記害虫駆除剤を担持する昆虫がオスの蚊の成虫である請求項１〜４のいずれか１項に記載の方法。
【請求項６】
前記幼虫駆除剤が化学物質又は生物学的因子である請求項２〜５のいずれか１項に記載の方法。
【請求項７】
前記化学物質が、アザジラクチン、ジフルベンズロン、メソプレン、ニームオイル(ア
ザジラクタ  インディカ)、ノバルロン、ピリプロキシフェン、S-メソプレン、S-ヒドロ
プレン及びテメホスからなる群より選択されるか、又は、
前記生物学的因子が、アスコグレガリン属、バシラス  スフェリカス、バシラス  スリンジェンシス  イスラエレンシス、バキュロウイルス、コペポーダ属、デンソヴィリネ属、ラゲニジウム  ギガンテウム、ミクロスポリダ属、スピノサド及びスピノシンからなる群より選択される請求項６に記載の方法。
【請求項８】
前記幼虫駆除剤が幼虫ホルモン類似体又は幼虫ホルモンを模倣する化合物である請求項１〜７のいずれか１項に記載の方法。
【請求項９】
前記幼虫駆除剤がピリプロキシフェンである請求項１〜７のいずれか１項に記載の方法。
【請求項１０】
前記成虫を害虫駆除剤に曝すことが、制御された環境中において前記害虫駆除剤をオスの成虫に曝して直接処置個体を産生すること、及び
前記昆虫を送り込むことが、該直接処置個体を前記昆虫集団に送り込むことを含む請求項２〜９のいずれか１項に記載の方法。
【請求項１１】
前記直接処置個体を、該直接処置個体の昆虫が送り込まれた前記昆虫集団の未処置の個体と接触させることにより、間接処置個体を産生することを更に含む請求項１０に記載の方法。
【請求項１２】
前記直接処置個体及び前記間接処置個体の両方が、前記害虫駆除剤を前記昆虫集団に送達することにより該昆虫集団を防除する請求項１１に記載の方法。
【請求項１３】
前記害虫駆除剤を担持する昆虫がメスである請求項２、４及び６〜１２のいずれか１項に記載の方法。
【請求項１４】
人工的に生じさせた幼虫駆除剤担持成虫を含み、
前記幼虫駆除剤が、成虫に対しては最小の影響を有し、かつ、幼虫の生存に影響するか又は幼虫の成虫への変態を妨害する昆虫防除用製剤。
【請求項１５】
前記成虫がオスの蚊である請求項１４に記載の製剤。
【請求項１６】
前記成虫がメスの蚊である請求項１４に記載の製剤。
【請求項１７】
前記幼虫駆除剤が化学物質又は生物学的因子である請求項１４〜１６のいずれか１項に記載の製剤。
【請求項１８】
前記化学物質が、アザジラクチン、ジフルベンズロン、メソプレン、ニームオイル (アザジラクタ  インディカ)、ノバルロン、ピリプロキシフェン、S-メソプレン、S-ヒドロプレン及びテメホスからなる群より選択されるか、又は、
前記生物学的因子が、アスコグレガリン属、バシラス  スフェリカス、バシラス  スリンジェンシス  イスラエレンシス、バキュロウイルス、コペポーダ属、デンソヴィリネ属、ラゲニジウム  ギガンテウム、ミクロスポリダ属、スピノサド及びスピノシンからなる群より選択される請求項１４〜１７のいずれか１項に記載の製剤。
【手続補正書】
【提出日】平成27年4月22日(2015.4.22)
【手続補正１】
【補正対象書類名】特許請求の範囲
【補正対象項目名】請求項７
【補正方法】変更
【補正の内容】
【請求項７】
ポリオレフィン製造用の固体チタン触媒成分を製造する方法であって、
非還元性マグネシウム化合物、アルキルエポキシド、ルイス酸、及び有機溶媒を接触させて混合物を得る工程（ただし、有機溶媒は、得られる混合物が二以上の相：ハロアルコキシドマグネシウム化合物を含むマグネシウム相及び有機溶媒を含む溶媒相を生成するように選択される）と、
第１温度で混合物にハロゲン化チタンを添加する工程と、
第１温度より高い第２温度で混合物に界面活性剤を添加する工程と、
実質的に球形状で所定のサイズを有する固体チタン触媒成分を混合物から分離する工程と、
を有することを特徴とする製造方法。
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
防汚成分を含有して成る防汚組成物で撚りＢＣＦ糸を処理する方法であって、
ａ．  撚りＢＣＦ糸を準備し、
ｂ．  前記ＢＣＦ糸を巻き取りリールに巻き取り、そして
ｃ．  前記ＢＣＦ糸を前記巻き取りリールに接触させて巻き取る前に前記ＢＣＦ糸を移動させながら前記ＢＣＦ糸を前記防汚組成物と接触させる、
ことを含んで成る方法。
【請求項２】
更に前記ＢＣＦ糸と前記防汚組成物を接触させた後に前記ＢＣＦ糸に乾式熱処理を受けさせることも含んで成る請求項１記載の方法。
【請求項３】
前記防汚成分がフルオロケミカルを含んで成る請求項１または２記載の方法。
【請求項４】
前記防汚組成物のｐＨを３から８にする請求項１または２記載の方法。
【請求項５】
前記フルオロケミカルをフッ素系アロファネート、フッ素系ポリアクリレート、フッ素系ウレタン、フッ素系カルボジイミド、フッ素系グアニジンおよびＣ−２からＣ−８化学構造が組み込まれているフルオロケミカルから成る群より選択する請求項３記載の方法。
【請求項６】
前記防汚組成物に更に防染み成分も含有させる請求項１または２記載の方法。
【請求項７】
前記防染み成分をシンタン、スルホン化ノボラック、スルホン化芳香アルデヒド縮合生成物（ＳＡＣ）および／またはホルムアルデヒド、フェノール、ポリメタアクリル酸、無水マレイン酸およびスルホン酸の反応生成物から成る群より選択する請求項６記載の方法。
【請求項８】
前記防染み成分を繊維の重量を基準にして５００ｐｐｍから４％存在させる請求項６記載の方法。
【請求項９】
前記ＢＣＦ糸がポリアミド繊維を含有して成る請求項１または２記載の方法。
【請求項１０】
前記接触をアプリケーターパッド、セラミックチップ、セラミックリング、湿った芯、浸漬タンク、噴霧器および霧吹きから成る群より選択した装置を用いて実施する請求項１〜９のいずれか１項記載の方法。
【請求項１１】
房飾りの付いていない撚りＢＣＦ糸であって、房飾りの付いていない撚りＢＣＦ糸の表面に防汚成分が存在する房飾りの付いていない撚りＢＣＦ糸。
【請求項１２】
前記防汚成分がフルオロケミカルを含んで成る請求項１１記載の房飾りの付いていない撚りＢＣＦ糸。
【請求項１３】
更に防染み成分も含有して成りかつ房飾りを付ける前の前記撚りＢＣＦ糸に前記防染み成分が存在している請求項１１記載の房飾りの付いていない撚りＢＣＦ糸。
【請求項１４】
前記ＢＣＦ糸がポリアミド繊維を含有して成る請求項１１記載の房飾りの付いていない撚りＢＣＦ糸。
【請求項１５】
撚りＢＣＦ糸を含有して成るカーペットであって、前記撚りＢＣＦ糸が房飾りが付けられた請求項１１〜１４のいずれか１項記載の撚りＢＣＦ糸を含んで成るカーペット。
【請求項１６】
撥油等級が少なくとも５である請求項１５記載のカーペット。
【請求項１７】
カーペットの製造方法であって、
ａ．  房飾りの付いていない撚りＢＣＦ糸の表面に防汚成分が存在する房飾りの付いていない撚りＢＣＦ糸を準備し、
ｂ．  前記ＢＣＦ糸に房飾りを付け、そして
ｃ．  前記房飾りを付けたＢＣＦ糸を織って前記カーペットを生じさせる、
ことを含んで成っていて、前記カーペットに防汚組成物によるさらなる処理を受けさせる必要がない方法。
【請求項１８】
前記房飾りの付いていない撚りＢＣＦ糸がポリアミド繊維を含有して成る請求項１７記載の方法。
【請求項１９】
防汚組成物を撚りＢＣＦ繊維に塗布するためのシステムであって、
ａ．  少なくとも２本の個別の糸部材を受け取って単一の糸部材を送る１番目の糸巻き取り装置、
ｂ．  前記糸巻き取り装置の下流に位置していて前記防汚組成物を前記単一の糸部材に塗布する防汚組成物塗布装置、および
ｃ．  前記単一の糸部材を受け取る２番目の糸巻き取り装置、
を含んで成るシステム。
【請求項２０】
前記塗布装置がアプリケーターパッド、セラミックチップ、セラミックリング、湿った芯、浸漬タンク、噴霧器および霧吹きから成る群より選択される請求項１９記載のシステム。
【請求項２１】
前記防汚組成物を塗布する時に複数の塗布装置が用いられる請求項１９または２０記載のシステム。
【手続補正書】
【提出日】平成27年4月7日(2015.4.7)
【手続補正１】
【補正対象書類名】明細書
【補正対象項目名】０００８
【補正方法】変更
【補正の内容】
【０００８】
JAK1及びJAK2は、多くのサイトカイン及びホルモンのための細胞内シグナル伝達に関与している。これらのサイトカイン及びホルモンのいずれかに関連する病状は、JAK1及び／又はJAK2阻害剤により改善され得る。そのため、関節リウマチ、全身性エリテマトーデス、若年性特発性関節炎、変形性関節症、喘息、慢性閉塞性肺疾患(COPD)、組織線維症、好酸球性炎症、食道炎(eosophagitis)、炎症性腸疾患(例えば、クローン病、潰瘍性大腸炎)、移植片拒絶、移植片対宿主病、乾癬、筋炎、乾癬性関節炎、強直性脊椎炎、若年性特発性関節炎(juvenile ideopathic arthrits)、多発性硬化症(Kopfらの文献、2010)を含む、数種のアレルギー、炎症、及び自己免疫疾患は、本発明に記載される化合物による治療から利益を得る可能性がある。
【手続補正２】
【補正対象書類名】明細書
【補正対象項目名】０１７８
【補正方法】変更
【補正の内容】
【０１７８】
JAK3アッセイにおける用量−反応効果の試験、及び化合物についてのIC50の算出を可能にする、化合物についての用量希釈系列を調製した。化合物を20μMの濃度で試験し、続いて、1/5の段階希釈で、1%DMSOの最終濃度で10点で試験した。化合物の効力が大きい場合、より希釈したものを調製する、及び／又は最大濃度をより低下させた（例えば、5μM、1μM）。
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
コラーゲンの総重量に対して少なくとも７０重量％含有量の繊維状コラーゲンおよび／またはフィブリル状コラーゲンを含んでなる、フィブリル型のコラーゲン、および
少なくとも一種の単糖、
を含んでなり、
前記コラーゲンが、組成物の総重量に対して８０〜９０重量％含まれ、
前記単糖が、組成物の総重量に対して１〜１２．５重量％含まれ、
組成物の総重量に対して２〜２５重量％含有量のグリコサミノグリカンをさらに含んでなる、粉体形態にある止血組成物。
【請求項２】
前記組成物が、重量比１０〜５０、好ましくは１９のコラーゲン／単糖を含んでなる、請求項１に記載の組成物。
【請求項３】
前記コラーゲンが、前記コラーゲンの総重量に対して８５〜９５重量％含有量の繊維状コラーゲンおよび／またはフィブリル状コラーゲンを含んでなる、請求項１または２に記載の組成物。
【請求項４】
前記組成物が、重量比２〜４０のコラーゲン／総炭水化物化合物（但し、前記総炭水化物化合物の重量が、前記単糖（複数可）の重量および前記グリコサミノグリカン（複数可）の重量の合計である）をさらに含んでなる、請求項１〜３のいずれか一項に記載の組成物。
【請求項５】
前記組成物が、凝固因子、特にトロンビンを前記組成物の０．０１ＩＵ／ｍｇ〜２０ＩＵ／ｍｇの量でさらに含んでなる、請求項１〜４のいずれか一項に記載の組成物。
【請求項６】
前記組成物が、０．４ｇ／ｍＬを超えるタップ密度を有する、請求項１〜５のいずれか一項に記載の組成物。
【請求項７】
前記組成物が、少なくとも５０重量％の、サイズが２００μｍ〜４００μｍである粒子を含んでなる、請求項１〜６のいずれか一項に記載の組成物。
【請求項８】
前記グリコサミノグリカンが、コンドロイチン硫酸、デルマタン硫酸、ヒアルロン酸およびそれらの混合物から選択される、請求項１〜７のいずれか一項に記載の組成物。
【請求項９】
前記組成物の総重量に対して８６．３６重量％の量のコラーゲン、
前記組成物の総重量に対して４．５４重量％の量のグルコース、および
前記組成物の総重量に対して９．０９重量％の量のコンドロイチン硫酸、
を含んでなる、請求項１〜８のいずれか一項に記載の組成物。
【請求項１０】
トロンビンを、前記組成物の０．２ＩＵ／ｍｇ〜２ＩＵ／ｍｇの量でさらに含んでなる、請求項９に記載の組成物。
【請求項１１】
止血組成物の製造方法であって、
ａ）コラーゲンの総重量に対して少なくとも７０重量％含有量の繊維状コラーゲンおよび／またはフィブリル状コラーゲンを含んでなるフィブリル型のコラーゲン、および少なくとも一種の単糖を含んでなり、前記コラーゲン含有量が組成物の総重量に対して８０〜９０重量％であり、前記単糖の含有量が組成物の総重量に対して１〜１２．５重量％である、水性懸濁液を形成する工程、
ｂ）生成物を、沈殿、ペーストまたはゲルの形態で、特に遠心分離またはデカンテーションにより回収する工程、
ｃ）前記生成物を乾燥させる工程、
ｄ）前記生成物を所望の粒度に粉砕する工程、および
ｅ）少なくとも１種のグリコサミノグリカンを、組成物の総重量に対して２〜２５重量％の含有量で添加する工程、
を少なくとも含んでなる、方法。
【請求項１２】
工程ａ）で使用する前記コラーゲンが、塩基性抽出により得られる、請求項１１に記載の方法。
【請求項１３】
前記後退ｅ）において、少なくとも１種の凝固因子、特にトロンビンをさらに加える、請求項１１または１２に記載の方法。
【請求項１４】
前記グリコサミノグリカンが、コンドロイチン硫酸、デルマタン硫酸、ヒアルロン酸およびそれらの混合物から選択される、請求項１１〜１３のいずれか一項に記載の方法。
【請求項１５】
止血剤としての使用するための、請求項１〜１０のいずれか一項に記載の組成物または請求項１１に記載の方法により得られる組成物。
【請求項１６】
請求項１〜１０および１５のいずれか一項に記載の組成物、および
スプレー装置
を備えてなるキット。
【手続補正書】
【提出日】平成27年4月7日(2015.4.7)
【手続補正１】
【補正対象書類名】明細書
【補正対象項目名】０００８
【補正方法】変更
【補正の内容】
【０００８】
JAK1及びJAK2は、多くのサイトカイン及びホルモンのための細胞内シグナル伝達に関与している。これらのサイトカイン及びホルモンのいずれかに関連する病状は、JAK1及び／又はJAK2阻害剤により改善され得る。そのため、関節リウマチ、全身性エリテマトーデス、若年性特発性関節炎、変形性関節症、喘息、慢性閉塞性肺疾患(COPD)、組織線維症、好酸球性炎症、食道炎(eosophagitis)、炎症性腸疾患(例えば、クローン病、潰瘍性大腸炎)、移植片拒絶、移植片対宿主病、乾癬、筋炎、乾癬性関節炎、強直性脊椎炎、若年性特発性関節炎(juvenile ideopathic arthrits)、及び多発性硬化症(Kopfらの文献、2010)を含む、数種のアレルギー、炎症、及び自己免疫疾患は、本発明に記載される化合物による治療から利益を得る可能性がある。
【手続補正２】
【補正対象書類名】明細書
【補正対象項目名】００８８
【補正方法】変更
【補正の内容】
【００８８】
一実施態様において、本発明の化合物は、mが1であり、かつR2が、OH、CN、ハロ、ハロから独立に選択される1個以上の基により任意に置換されているC1-6アルキル、又は1個以上のハロにより任意に置換されているC1-6アルコキシである、式Iによるものである。特定の実施態様において、R2は、Me、Et、-OMe、-OEt、-CF3、F、Cl、Br、OH、又は-CNである。より特定の実施態様において、R2は、F、Cl、又はBrである。最も特定の実施態様において、R2はFである。
【手続補正３】
【補正対象書類名】明細書
【補正対象項目名】０１０９
【補正方法】変更
【補正の内容】
【０１０９】
一実施態様において、本発明の化合物は、式IIIa、IIIb、IIIc、IIId、IIIe、IIIf、IIIg、IIIh、IIIi、又はIIIjによる、式I〜IIbによるものである:
【化６】
2014512405.tif 000001
（式中、X及びR3は、上記実施態様のいずれか1つに記載のとおりである）。
【手続補正４】
【補正対象書類名】明細書
【補正対象項目名】０１５２
【補正方法】変更
【補正の内容】
【０１５２】
治療態様の追加の方法において、本発明は、自己免疫疾患に罹患しやすい又は苦しんでいる哺乳動物の治療又は予防の方法を提供する。該方法は、自己免疫疾患の治療又は予防のために、本明細書に記載される本発明の1種以上の医薬組成物又は化合物を有効量で投与することを含む。具体的な実施態様において、該自己免疫疾患は、COPD、喘息、全身性エリテマトーデス、I型糖尿病、乾癬性関節炎、強直性脊椎炎、若年性特発性関節炎、及び炎症性腸疾患から選択される。
【手続補正５】
【補正対象書類名】明細書
【補正対象項目名】０２１１
【補正方法】変更
【補正の内容】
【０２１１】
（工程iv):3-フルオロ-5-ブロモピリジンカルボン酸メトキシメチルアミド）
3-フルオロ-5-ブロモピリジンカルボン酸塩酸塩(1.83g、6.5mmol)、N-O-ジメチルヒドロキシルアミン塩酸塩(824mg、8.45mmol)、Et3N(2.3mL、16.25mmol)、及びHATU(3.2g、8.45mmol)の乾燥DMF(30mL)中の懸濁液を、N2下、室温で16時間撹拌した。さらなるHATU(900mg、2.4mmol)を加え、該反応物をさらに6時間撹拌した。溶媒を真空中で除去し、粗製物を飽和NaHCO3(水溶液)とEtOAcとの間で分配した。水性液を追加のEtOAc(×3)で抽出し、合わせた有機液をブラインで洗浄し、乾燥させ(MgSO4)、真空中で濃縮した。カラムクロマトグラフィー(勾配:石油エーテル40-60中20%-80%EtOAc)により精製すると、3-フルオロ-5-ブロモピリジンカルボン酸メトキシメチルアミドを黄色固体として与えた。
【手続補正６】
【補正対象書類名】明細書
【補正対象項目名】０２３９
【補正方法】変更
【補正の内容】
【０２３９】
（工程(iii):シクロプロパンカルボン酸(4-ブロモ-3-フェニル-ピラゾロ[1,5-a]ピリジン-2-イル)-アミド）
【化３９】
2014512405.tif 000002
4-ブロモ-3-フェニル-ピラゾロ[1,5-a]ピリジン-2-イルアミン(0.295g、1当量)を5℃のDCM(3mL)に溶解させ、Et3N(356μL)を加え、それに続いてシクロプロパンカルボニルクロリド(234μL)を加えた。次いで、該反応混合物を放置して室温まで温めた。溶媒を真空中で除去し、残渣を7Mアンモニアのメタノール溶液(5mL)により処理し、室温で1時間撹拌して、ビス-アシル化生成物を加水分解した。溶媒を真空中で除去し、残渣をDCMに再溶解させ、水及びブラインで洗浄した。有機液を疎水性フリットに通し、真空中で濃縮した。精製は分取HPLCにより実施した。
【手続補正７】
【補正対象書類名】明細書
【補正対象項目名】０２４６
【補正方法】変更
【補正の内容】
【０２４６】
（工程(iii):第２の方法）
上記工程(ii)で得た1-[2-フルオロ-4-(4,4,5,5-テトラメチル-[1,3,2]ジオキサボロラン-2-イル)-ベンジル]-4-メタンスルホニル-ピペラジン(7.5g、18mmol、1当量)を、アリールブロミド(4.5g、18mmol、1当量)の1,4-ジオキサン/水(150mL、4:1;v/v)溶液に加えた。Na2CO3(3.8g、36mmol、2.0当量)及びPd(dppf)Cl2(0.7g、0.9mmol、5%)(dppf=1,1’-ビス(ジフェニルホスフィノ)フェロセン)を、該脱気した溶液に加えた。生じた混合物を100℃で2時間加熱した。溶媒を真空中で除去した。残渣をDCM及び水と混合し、不溶性物質を濾過により除いた(不溶性物質は残しておき、後に、精製の前に有機残渣と再び合わせた)。水層を分離し、DCM(×3)で抽出した。合わせた有機液を乾燥させ(MgSO4)、真空中で濃縮した。この残渣を、先に回収した不溶性物質と合わせ、シリカに吸着させた。カラムクロマトグラフィー(勾配:EtOAc中0-5%MeOH)又は分取HPLCにより精製すると、目的物を茶色の固体として与えた。該茶色の固体をエタノールと混合し、該懸濁液を還流加熱した。該混合物を室温に放冷し、さらに氷浴で冷却した。目的物質を濾過により回収し、真空中で乾燥させた。
【手続補正８】
【補正対象書類名】明細書
【補正対象項目名】０３５８
【補正方法】変更
【補正の内容】
【０３５８】
次いで、透過処理された細胞を1×3%BSA含有PBSで洗浄し、最後に80μlの1×3% BSA含有PBSに再懸濁化する。
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
以下の式（Ｉ）
【化１】
2014512415.tif 000001
を含む組成物であって、式中、Ｘ１、Ｘ２、及びＸ３は、独立して、Ｈ、Ｆ、Ｃｌ、Ｂｒ、Ｉ、ＣＦ３、及びＣＨ３から選択され、Ｘ１、Ｘ２、又はＸ３のうちの少なくとも１つはＨであり、Ｒ１は連結基であり、Ｚ１及びＺ２は、独立して、Ｂｒ、Ｃｌ、Ｉ、及びＦ、ＣＦ３、並びにペルフルオロ化アルキル基から選択され、Ｍはカチオンであり、ｐは０又は１であり、ｎは少なくとも２である、組成物。
【請求項２】
組成物の製造方法であって、
ハロフルオロアルケンモノマー、ＣＸ７Ｘ９＝ＣＸ８−（Ｒ３）ｐ−ＣＺ５Ｚ６−Ｙを、スルフィン化剤でオリゴマー化して、前記式（Ｉ）の組成物を生成することを含み、式中、Ｘ７、Ｘ８、及びＸ９は、独立して、Ｈ、Ｆ、Ｃｌ、Ｂｒ、Ｉ、ＣＦ３、及びＣＨ３から選択され、式中、Ｘ７、Ｘ８、及びＸ９のうちの少なくとも１つはＨであり、Ｒ３は連結基であり、Ｚ５及びＺ６は、独立して、Ｂｒ、Ｃｌ、Ｉ、Ｆ、ＣＦ３、及びペルフルオロアルキル基から選択され、ｐは０又１であり、ＹはＩ、Ｂｒ、及びＣｌから選択される、組成物の製造方法。
【請求項３】
請求項１に記載の組成物を含む、物品。